(57)【要約】      （修正有）【課題】立体映像製品を生成する立体映像生成装置を提供する。【解決手段】少なくとも一つの第１の映像を取得するための映像取得ユニット２１と、第２の映像を有するように印刷物を印刷するための印刷ユニット２３と、前記レンズ膜の表面上にある保護膜を除去するための膜除去ユニット２４と、該膜除去ユニットからの前記レンズ膜を前記印刷物の表面に敷設するための敷設ユニット２５と、該敷設ユニットからの前記レンズ膜と前記印刷物とを互いにラミネートすることで前記立体映像製品を形成するためのラミネーターユニット２６と、前記第１の映像を前記第２の映像に転換するように、前記映像取得ユニット、前記レンズ膜輸送ユニット、前記印刷ユニット、前記膜除去ユニット、前記敷設ユニット及び前記ラミネーターユニットを制御するための制御ユニット２７とを含み、前記第２の映像は、前記レンズ膜によって前記第１の映像の立体映像が見えるものであることを特徴とする。【選択図】図２
0003173062.tif 000002
【実用新案登録請求の範囲】
【請求項１】
立体映像製品を生成する立体映像生成装置であって、
第１の映像を少なくとも一つ取得するための映像取得ユニットと、
その表面上に保護膜をラミネートしている接着膜を有する少なくとも一つのレンズ膜を輸送するためのレンズ膜輸送ユニットと、
前記レンズ膜を通して見ることによって前記第１の映像の立体映像が見えるような第２の映像を有する印刷物を印刷するための印刷ユニットと、
前記レンズ膜の表面上にある保護膜を除去するための膜除去ユニットと、
前記膜除去ユニットからの前記レンズ膜を前記印刷物の表面に敷設するための敷設ユニットと、
前記敷設ユニットからの前記レンズ膜と前記印刷物とを互いにラミネートすることで前記立体映像製品を形成するためのラミネーターユニットと、
前記第１の映像を前記第２の映像に転換するように、前記映像取得ユニット、前記レンズ膜輸送ユニット、前記印刷ユニット、前記膜除去ユニット、前記敷設ユニット及び前記ラミネーターユニットを制御するための制御ユニットと、
を含むことを特徴とする立体映像生成装置。
【請求項２】
前記映像取得ユニットはカメラであることを特徴とする請求項１に記載の立体映像生成装置。
【請求項３】
前記レンズ膜輸送ユニットは、第１のモーターと第１のコンベアを含み、
前記第１のモーターは前記第１のコンベアを駆動するためのものであることを特徴とする請求項１に記載の立体映像生成装置。
【請求項４】
前記敷設ユニットは、第２のモーター、第２のコンベア及びローターユニットを含み、
前記ローラーユニットは、前記膜除去ユニットからの前記レンズ膜を輸送するためのものであり、
前記第２のコンベアは、前記印刷物を輸送するためのものであり、
前記第２のモーターは、前記第２のコンベアを駆動するためのものであることを特徴とする請求項１に記載の立体映像生成装置。
【請求項５】
前記膜除去ユニットは、第３のモーターを含むことを特徴とする請求項１に記載の立体映像生成装置。
【請求項６】
前記ラミネーターユニットは、第４のモーターと少なくとも一つのローラーを含み、
前記第４のモーターは、前記少なくとも一つのローラーを駆動するためのものであることを特徴とする請求項１に記載の立体映像生成装置。
【請求項７】
前記制御ユニットで制御される表示ユニットを更に含むことを特徴とする請求項１に記載の立体映像生成装置。
【請求項８】
立体映像製品を生成する立体映像生成装置であって、
第１の映像を少なくとも一つ取得するための映像取得ユニットと、
ホットメルト性接着層を有する少なくとも一つのレンズ膜を輸送するためのレンズ膜輸送ユニットと、
前記レンズ膜を通して見ることによって前記第１の映像の立体映像が見えるような第２の映像を有する印刷物を印刷するための印刷ユニットと、
前記レンズ膜輸送ユニットからの前記レンズ膜を前記印刷物の表面に敷設するための敷設ユニットと、
前記敷設ユニットからの前記レンズ膜と前記印刷物とを互いにラミネートすることで前記立体映像製品を形成するためのラミネーターユニットと、
前記第１の映像を前記第２の映像に転換するように、前記映像取得ユニット、前記レンズ膜輸送ユニット、前記印刷ユニット、前記敷設ユニット及び前記ラミネーターユニットを制御するための制御ユニットと、
を含むことを特徴とする立体映像生成装置。
【請求項９】
前記映像取得ユニットはカメラであることを特徴とする請求項８に記載の立体映像生成装置。
【請求項１０】
前記レンズ膜輸送ユニットは、第１のモーターと第１のコンベアを含み、
前記第１のモーターは前記第１のコンベアを駆動するためのものであることを特徴とする請求項８に記載の立体映像生成装置。
【請求項１１】
前記敷設ユニットは、第２のモーター、第２のコンベア及びローターユニットを含み、
前記ローラーユニットは、前記レンズ膜輸送ユニットからの前記レンズ膜を輸送するためのものであり、
前記第２のコンベアは、前記印刷物を輸送するためのものであり、
前記第２のモーターは、前記第２のコンベアを駆動するためのものであることを特徴とする請求項８に記載の立体映像生成装置。
【請求項１２】
前記ラミネーターユニットは、ヒーター、第４のモーター及び少なくとも一つのローラーを含み、
前記第４のモーターは、前記少なくとも一つのローラーを駆動するためのものであり、
前記ヒーターは前記ローラーと連接することを特徴とする請求項８に記載の立体映像生成装置。
【請求項１３】
前記制御ユニットで制御される表示ユニットを更に含むことを特徴とする請求項８に記載の立体映像生成装置。
【考案の詳細な説明】
【技術分野】
【０００１】
本考案は、立体映像生成装置に関し、特に立体映像製品を生成する装置に関するものである。
【背景技術】
【０００２】
３Ｄ（Ｔｈｒｅｅ−Ｄｉｍｅｎｓｉｏｎａｌ）立体視ディスプレー（ＳｔｅｒｅｏｓｃｏｐｉｃＤｉｓｐｌａｙ）技術（３Ｄ表示技術ともいう）は、裸眼でも立体視できる無メガネ方式の自動立体視ディスプレー（Ａｕｔｏｓｔｅｒｅｏｓｃｏｐｉｃ Ｄｉｓｐｌａｙ）（以下、裸眼式という）とメガネ方式の立体視ディスプレー（ＳｔｅｒｅｏｓｃｏｐｉｃＤｉｓｐｌａｙ）（以下、メガネ式という）との２つに大別される。裸眼式とは、視聴者が何の設備を使用しなくても３Ｄの映像効果が見えるということである。裸眼式の主な技術特徴は、映像の前に又はディスプレーパネルに左眼映像と右眼映像に分けられる一枚の光学系レンズが設けられることである。左眼映像と右眼映像に分けられる一枚の光学系レンズの主流技術として、パララックスバリア（ＰａｒａｌｌａｘＢａｒｒｉｅｒ）方式と柱状レンズを用いるレンチキュラー（Ｌｅｎｔｉｃｕｌａｒ）方式との二種類に分けることができる。柱状レンズを用いるレンチキュラー方式の原理は、映像の前に又はディスプレーパネルに一枚の柱状レンズが設けられることで、左眼映像と右眼映像が光学の屈折原理によって柱状レンズを通過して視聴者の右目と左目に入射されることにより、視聴者には立体映像が見えるようになっている。
【０００３】
柱状レンズを用いるレンチキュラー方式の立体視ディスプレー技術は、二種類に分けることができる。第１の方式として、熱転写、熱蒸着、又はその他の印刷技術によって、レンズに立体映像を直接に印刷した後、その上に一層の保護膜を塗布するという方式である。業界では、このような技術を有する設備や機器が開発されたものの、印刷に使用される消耗品が汎用の消耗品ではなく、更に、ＵＶ印刷機といった特殊な印刷設備が必要であるため、製造コストが非常に高くて、技術には改善すべき欠点がある。
【０００４】
第２の方式として、柱状レンズの構造を有するレンズ膜１０を映像を有するキャリア１１（例えば、写真やプリントペーパーなど）の表面に直接に貼り付ける。図１は、第２の方式で製作された立体映像製品１の断面図を示す。但し、こういう技術方式を使用する設備が今までまだ開発されていない。
【考案の概要】
【考案が解決しようとする課題】
【０００５】
そこで、従来技術が今まで一般の使用者向けの立体映像出力設備が開発されていない事情を鑑みて、本考案において、立体映像製品を形成するための立体映像生成装置を提供することを課題とする。
【課題を解決するための手段】
【０００６】
本考案に係る立体映像生成装置は、映像取得ユニット、レンズ膜輸送ユニット、印刷ユニット、膜除去ユニット、敷設ユニット、ラミネーター(ｌａｍｉｎａｔｉｎｇ)ユニット（又は貼付ユニット）及び制御ユニットを含む。映像取得ユニットは、少なくとも一つの第１の映像を取得するためのものである。レンズ膜輸送ユニットは、少なくとも一つのレンズ膜を輸送するためのものである。レンズ膜は、その表面上に保護膜を貼付している接着膜を有する。プリントユニットは、第２の映像を有するように印刷物を印刷するためのものである。第２の映像は、レンズ膜によって第１の映像の立体映像が見えるものである。膜除去ユニットは、レンズ膜の表面上にある保護膜を除去するためのものである。敷設ユニットは、膜除去ユニットからのレンズ膜を印刷物の表面に敷設するためのものである。ラミネーターユニットは、敷設ユニットからのレンズ膜と印刷物とを互いに貼付することで立体映像製品を形成するためのものである。制御ユニットは、第１の映像を第２の映像に転換するように、映像取得ユニット、レンズ膜輸送ユニット、印刷ユニット、膜除去ユニット、敷設ユニット及びラミネーターユニットを制御するためのものである。
【考案の効果】
【０００７】
一般の使用者向けの立体映像出力設備や立体映像生成装置を提供する。
【図面の簡単な説明】
【０００８】
【図１】本考案の実施例に係る立体映像製品の断面図を示す。
【図２】本考案の実施例に係る立体映像生成装置の具体的な実施例を示す。
【図３】本考案の実施例に係る立体映像生成装置の他の具体的な実施例を示す。
【考案を実施するための形態】
【０００９】
図２は、本考案の実施例に係る立体映像生成装置の具体的な実施例を示す。本考案に係る立体映像生成装置２は、図１に示す立体映像製品を形成するためのものであって、映像取得ユニット２１、レンズ膜輸送ユニット２２、印刷ユニット２３、膜除去ユニット２４、敷設ユニット２５、ラミネーター(ｌａｍｉｎａｔｉｎｇ)ユニット（又は貼付ユニット）２６及び制御ユニット２７を含む。
映像取得ユニット２１は、少なくとも一つの第１の映像を取得するためのものである。映像取得ユニット２１としては、例えば、左視角と右視角で二枚又は複数枚の平面映像を撮影するための平面カメラといったカメラであってもよく、左視角と右視角が一定の視差（例えば、両眼視差（Ｂｉｎｏｃｕｌａｒｄｉｓｐａｒｉｔｙ）など）を有する写真を撮影するための立体カメラといったカメラであってもよく、映像ファイルを記憶してある記憶装置（例えば、メモリカードなど）であってもよい。これに限定されるものではない。
レンズ膜輸送ユニット２２は、少なくとも一つのレンズ膜２２０を輸送するためのものである。レンズ膜２２０は、その表面上に保護膜（図示せず）をラミネート又は貼付している接着膜（図示せず）を有する。レンズ膜輸送ユニット２２は第１のモーター２２１と第１のコンベア２２２を備える。第１のモーター２２１は第１のコンベア２２２を駆動するためのものである。第１のモーター２２１と第１のコンベア２２２の稼動によって、レンズ膜２２０を膜除去ユニット２４へ輸送することができる。
プリントユニット２３は、第２の映像を有するように印刷物２３０を印刷するためのものである。第２の映像は、レンズ膜２２０によって第１の映像の立体映像が見えるものである。第２の映像の形成方法は後述で詳しく説明する。
膜除去ユニット２４は、レンズ膜２２０の表面上にある保護膜を除去することによってレンズ膜２２０の表面に粘着性を有する接着層を残留するためのものである。また、膜除去ユニット２４は、第３のモーター２４０、膜除去テープ（符号を付けず）及びローラー（符号を付けず）を含み、保護膜を除去したり収集したりするようにしてもよい。
敷設ユニット２５は、膜除去ユニット２４からのレンズ膜２２０を印刷物２３０の表面に敷設するためのものである。また、敷設ユニット２５は、第２のモーター２５０、第２のコンベア２５１及びローラーユニット２５２を含む。ローラーユニット２５２は膜除去ユニット２４からのレンズ膜２２０を輸送するためのものである。第２のコンベア２５１は印刷物２３０を輸送するためのものである。第２のモーター２５０は第２のコンベア２５１を駆動するためのものである。
ラミネーターユニット２６は、敷設ユニット２５からのレンズ膜２２０と印刷物２３０とを互いにラミネート又は貼付することで立体映像製品１を形成するためのものである。ラミネーターユニット２６は、第４のモーター２６０と少なくとも一つのローラー２６１を含む。第４のモーター２６０はローラー２６１を駆動するためのものである。本実施例において、二つのローラー２６１は、レンズ膜２２０を敷設している印刷物２３０を同時に押し付けることによって、粘着性を有するレンズ膜２２０と印刷物２３０を緊密にラミネート又は貼付するようになっている。上述した実施例は、本考案の好ましい実施態様に過ぎず、本考案の実施の範囲を限定するものではない。ローラーとステージによってラミネート又は貼付を行うようにしてもよい。
制御ユニット２７は、第１の映像を第２の映像に転換するように、映像取得ユニット２１、レンズ膜輸送ユニット２２、印刷ユニット２３、膜除去ユニット２４、敷設ユニット２５及びラミネーターユニット（又は貼付ユニット）２６を制御するためのものである。制御ユニット２７は平面映像（即ち、第１の映像）を第２の映像に転換する方法が沢山あるが、一番簡単な方法としては、左視角と右視角で撮影した二枚の平面映像を補間演算（ｉｎｔｅｒｐｏｌａｔｉｏｎｃａｌｃｕｌａｔｉｏｎ）して第２の映像を形成する。また、第２の映像はレンズ膜２２０によって第１の映像の立体映像が見えるようなものである。また、この例示は、本考案の好ましい実施態様に過ぎず、本考案の実施の範囲を限定するものではない。
【００１０】
図２に示すように、本考案は、制御ユニット２７で制御される表示ユニット２８を更に含む。表示ユニット２８は、画面を表示するディスプレー又は立体映像を視聴する立体視ディスプレーとして使用される。
【００１１】
図３は本考案の実施例に係る立体映像生成装置の他の具体的な実施例を示す。図２との構造はほぼ同じであるため、図３において、図２と同じ素子は同じ符号で示す。図２との相違点は、図３の実施例において、図２の実施例における膜除去ユニット２４とラミネーターユニット（又は貼付ユニット）２６を削除するとともにヒーター２６２を増設することである。本実施例に使用するレンズ膜２２０はホットメルト性接着層を有する。ここで、ホットメルト性接着層としては、ＰＥ（ポリエチレン）、ＰＶＣ（ポリ塩化ビニル）、ＰＶＤＣ（ポリ塩化ビニリデン）、ＰＶＡ、ＰＶＡＣ（ポリ酢酸ビニル）のいずれか１種又は２種以上の組み合わせから製造されてもよい。レンズ膜２２０はホットメルト性接着層を有することによって、常温下でのレンズ膜２２０が粘着性を有しないため、保護膜を貼り付ける必要がなくなり、ひいては膜除去ユニットを省略することができる。また、ホットメルト性接着層が高温度の環境のみで粘着性を有するようになるため、図３に示すラミネーターユニット（又は貼付ユニット）２６にはヒーター２６２を設置する必要がある。ヒーター２６２はローラー２６１と連接して、熱伝導原理によって熱をローラー２６１に伝導する。これにより、ローラー２６１はレンズ膜２２０を敷設している印刷物２３０を熱圧方式で熱圧することによって、立体映像製品１を形成する。
【００１２】
上述したように、本考案に係る立体映像生成装置は、低コストで立体映像製品を形成できるとともに、産業上の利用可能性、新規性及び進歩性等の特許要件を有することが明らかである。
【符号の説明】
【００１３】
１  立体映像製品
１０  レンズ膜
１１  キャリア
２  立体映像生成装置
２１  映像取得ユニット
２２  レンズ膜輸送ユニット
２２０  レンズ膜
２２１  第１のモーター
２２２  第１のコンベア
２３  印刷ユニット
２３０  （第２の映像を有する）印刷物
２４  膜除去ユニット
２４０  第３のモーター
２５  敷設ユニット
２５０  第２のモーター
２５１  第２のコンベア
２５２  ローラーユニット
２６  ラミネーターユニット（又は貼付ユニット）
２６０  第４のモーター
２６１  ローラー
２６２  ヒーター
２７  制御ユニット
２８  表示ユニット
【図１】
0003173062.tif 000003
【図２】
0003173062.tif 000004
【図３】
0003173062.tif 000005